(57)【要約】【課題】開口等からの接続箱本体内への水等の侵入を確実に防止する。【解決手段】接続箱本体２にカバー３を回動自在に設け、カバーの回動基端寄りの側壁２０から覆い壁１８を接続箱本体に向けて突出形成し、接続箱本体の側壁９に、覆い壁を進入係合させるガイド係合部１９を設けた電気接続箱１を採用する。覆い壁１８を接続箱本体の側壁９とガイド係合部１９との間で挟み込む。ガイド係合部１９が覆い壁１８の突出先端側を覆う。覆い壁１８が回動先端側に向けて傾斜ないし湾曲した部分２１を有し、ガイド係合部１９が傾斜ないし湾曲した部分を係合させる傾斜部ないし湾曲部１９ｂを有する。ガイド係合部１９が接続箱本体の側壁９から突出した底壁２７と、底壁に交差して側壁に対向した押さえ壁２８とで構成される。接続箱本体２に、覆い壁１８で閉止される開口１６が設けられている。【選択図】図１
2005204356.tif 000002
【特許請求の範囲】
【請求項１】
接続箱本体にカバーが回動自在に設けられ、該カバーの回動基端寄りの側壁から覆い壁が該接続箱本体に向けて突出形成され、該接続箱本体の側壁に、該覆い壁を進入係合させるガイド係合部が設けられたことを特徴とする電気接続箱。
【請求項２】
前記覆い壁が前記接続箱本体の側壁と前記ガイド係合部との間で挟み込まれることを特徴とする請求項１記載の電気接続箱。
【請求項３】
前記ガイド係合部が前記覆い壁の突出先端側を覆うことを特徴とする請求項１又は２記載の電気接続箱。
【請求項４】
前記覆い壁が回動先端側に向けて傾斜ないし湾曲した部分を有し、前記ガイド係合部が該傾斜ないし湾曲した部分を係合させる傾斜部ないし湾曲部を有することを特徴とする請求項１〜３の何れか１項に記載の電気接続箱。
【請求項５】
前記ガイド係合部が前記接続箱本体の側壁から突出した底壁と、該底壁に交差して該側壁に対向した押さえ壁とで構成されることを特徴とする請求項１〜４の何れか１項に記載の電気接続箱。
【請求項６】
前記接続箱本体に、前記覆い壁で閉止される開口が設けられたことを特徴とする請求項１〜５の何れか１項に記載の電気接続箱。
【請求項７】
前記開口が前記ガイド係合部の最下部よりも上側に位置することを特徴とする請求項６記載の電気接続箱。
【請求項８】
前記カバーの回動先端側に、前記接続箱本体に対するロック部が設けられたことを特徴とする請求項１〜７の何れか１項に記載の電気接続箱。
【発明の詳細な説明】
【技術分野】
【０００１】
本発明は、カバーの壁部の外側への開きを防止して接続箱本体内への水等の侵入を防止した電気接続箱に関するものである。
【背景技術】
【０００２】
図７は従来の電気接続箱の一形態を示すものである（特許文献１参照）。
【０００３】
この電気接続箱６１は、合成樹脂製の接続箱本体６２と、接続箱本体６２の内側上部に装着される電気部品であるヒュージブルリンク６４と、接続箱本体６２にヒンジ６５を介して回動自在に設けられた合成樹脂製のカバー６３とを備えるものである。
【０００４】
カバー６３はヒンジ側を除く三方に深めの壁部６６を有し、ヒンジ６５は接続箱本体６２の高く突出した壁部６７に設けられ、ヒンジ６５とは反対側の各壁部にロック手段としての係止アーム６８と係合枠部６９とが設けられ、接続箱本体６２の側壁７０には、カバー６３の側壁６６を内側に進入支持させる略Ｌ字状の突片７１が設けられている。カバー６３の側壁６６はヒンジ側の部分で外側に開きやすいが、突片７１によって接続箱本体６２からの離間が防止される。
【０００５】
図８は従来の電気接続箱の他の形態を示すものである（特許文献２参照）。
【０００６】
この電気接続箱８１は、小電流用のヒューズ８２や大電流用のヒュージブルリンク等を装着する合成樹脂製の接続箱本体８３と、接続箱本体８３の下側に装着される合成樹脂製のロアカバー８４と、接続箱本体８３の上側に装着される合成樹脂製のアッパカバー（図示せず）とを備えるものである。
【０００７】
接続箱本体８３は上部にヒューズ装着部８５やヒュージブルリンク装着部８６を有し、接続箱本体８３の下部開口からヒューズ８２やヒュージブルリンクに対する接続用の端子付きの電線８７や導電金属製の板状のバスバー（図示せず）が装着される。
【０００８】
接続箱本体８３の一側の壁部８８には長手方向ほぼ中央において縦長の開口８９が設けられ、例えば接続箱本体８３内のバスバーの孔部にボルトとナットで締め付け接続する電源側の端子付きの電線（図示せず）が開口８９内に装着される。各電線８７はワイヤハーネスとしてロアカバー８４の導出口９０から外部に導出されて、図示しない車両側の電装品や補機等に接続される。
【０００９】
ロアカバー８４の側壁９１には、開口８９に対する閉止用の覆い壁９２が上向きに突出して一体に設けられている。覆い壁９２は接続箱本体８３の開口部両側のガイド突部９３の内側にスライド案内されて開口８９を封止する。
【特許文献１】実開平３−１０４５１０号公報（第１〜３図）
【特許文献２】特開２００１−１５６４６９号公報（図１，図５）
【発明の開示】
【発明が解決しようとする課題】
【００１０】
しかしながら、上記図７の従来の電気接続箱６１にあっては、カバー６３のヒンジ側の開口７２の開きが突片７１で防止されるのみであるため、例えばカバー６３の下側から水が強くかかった場合には、カバー６３の側壁６６と接続箱本体６２の側壁７０との間から水が接続箱本体６２内に侵入しやすいという懸念があった。
【００１１】
また、図８に示す従来の電気接続箱８１にあっては、端子付き電線とバスバーとをねじ締め接続するための開口８９をロアカバー８４の覆い壁９２で塞ぐ訳であるが、例えば覆い壁９２の上部と接続箱本体８３の壁部８８との間に隙間を生じやすく、アッパカバー（図示せず）で覆い壁９２の外側を覆わない構造の場合には、その隙間や開口８９の下部側から接続箱本体８３内に水や塵が巻き込むように侵入しやすいという懸念があった。
【００１２】
本発明は、上記した点に鑑み、例えば下側からの強い水勢等によってもカバーの壁部が外側に開くことがなく、接続箱本体内への水等の侵入を確実に防止することのできる電気接続箱を提供することを目的とする。
【課題を解決するための手段】
【００１３】
上記目的を達成するために、本発明の請求項１に係る電気接続箱は、接続箱本体にカバーが回動自在に設けられ、該カバーの回動基端寄りの側壁から覆い壁が該接続箱本体に向けて突出形成され、該接続箱本体の側壁に、該覆い壁を進入係合させるガイド係合部が設けられたことを特徴とする。
【００１４】
上記構成により、カバーを接続箱本体に閉止すると同時に、覆い壁がガイド係合部内に進入係合し、覆い壁の板厚方向外側への開きや、覆い壁と一体のカバー側壁の開きが阻止される。例えば高圧洗浄水や強風等の強い力が覆い壁の先端側（下側）から作用した場合でも、覆い壁や側壁の開きが防止されるから、覆い壁と接続箱本体の側壁との間あるいはカバー側壁と接続箱本体の側壁との間からの接続箱本体内への高圧洗浄水や塵等の侵入が防止される。
【００１５】
請求項２に係る電気接続箱は、請求項１記載の電気接続箱において、前記覆い壁が前記接続箱本体の側壁と前記ガイド係合部との間で挟み込まれることを特徴とする。
【００１６】
上記構成により、覆い壁と接続箱本体の側壁とが隙間なく密着して、接続箱本体内への防水性・防塵性が高まる。また、覆い壁が接続箱本体の側壁に接することで、接続箱本体内側への覆い壁の倒れ込みが防止される。
【００１７】
請求項３に係る電気接続箱は、請求項１又は２記載の電気接続箱において、前記ガイド係合部が前記覆い壁の突出先端側を覆うことを特徴とする。
【００１８】
上記構成により、覆い壁の突出先端側の部分と接続箱本体の側壁との間の隙間が外部に露出することなく覆い壁で覆い隠され、覆い壁の突出先端側からの高圧洗浄水や強風等がガイド係合部に当たって、隙間内への水や塵等の侵入が確実に防止される。
【００１９】
請求項４に係る電気接続箱は、請求項１〜３の何れか１項に記載の電気接続箱において、前記覆い壁が回動先端側に向けて傾斜ないし湾曲した部分を有し、前記ガイド係合部が該傾斜ないし湾曲した部分を係合させる傾斜部ないし湾曲部を有することを特徴とする。
【００２０】
上記構成により、カバーを一端側を支点に回動させて接続箱本体に閉止させる際に、覆い壁の傾斜部ないし湾曲部がガイド係合部の傾斜部ないし湾曲部にスムーズに進入係合する。例えば覆い壁が矩形でガイド係合部がＬ字状に直交する形状のものである場合には、カバーの回動途中で覆い壁の角部がガイド係合部に干渉してカバーの閉止がスムーズに行われない。ガイド係合部の傾斜部ないし湾曲部は覆い壁の回動先端側の傾斜部ないし湾曲部を覆って、回動先端側からの強い水勢や強風等に対する防御を行う。ガイド係合部内に浸入した水は傾斜部ないし湾曲部に沿って外側に流れ落ちる。
【００２１】
請求項５に係る電気接続箱は、請求項１〜４の何れか１項に記載の電気接続箱において、前記ガイド係合部が前記接続箱本体の側壁から突出した底壁と、該底壁に交差して該側壁に対向した押さえ壁とで構成されることを特徴とする。
【００２２】
上記構成により、押さえ壁と側壁との間にガイド溝が構成され、ガイド溝に覆い壁が挿入され、押さえ壁で側壁方に押されて密着する。底壁によって覆い壁と側壁との間の隙間が覆い隠され、覆い壁先端側からの水勢等は底壁に当たって防御される。ガイド係合部内に浸入した水は底壁に沿って外側に流れ落ちる（特に傾斜部や湾曲部がある場合）。
【００２３】
請求項６に係る電気接続箱は、請求項１〜５の何れか１項に記載の電気接続箱において、前記接続箱本体に、前記覆い壁で閉止される開口が設けられたことを特徴とする。
【００２４】
上記構成により、開口の下側に沿ってガイド係合部が位置し、ガイド係合部に覆い壁の突出先端側の部分が進入係合し、覆い壁の開きが防止されて、開口内への水や塵等の侵入が阻止される。覆い壁先端側からの水勢等はガイド係合部に当たって防御され、開口内への侵入が阻止される。開口を開けた状態で接続箱本体内に端子付き電線や後付けヒューズ等の電気部品がねじ締め等で装着される。
【００２５】
請求項７に係る電気接続箱は、請求項６記載の電気接続箱において、前記開口が前記ガイド係合部の最下部よりも上側に位置することを特徴とする。
【００２６】
上記構成により、ガイド係合部に沿って流れ落ちる水滴が開口内に浸入することなく外部に排出される。
【００２７】
請求項８に係る電気接続箱は、請求項１〜７の何れか１項に記載の電気接続箱において、前記カバーの回動先端側に、前記接続箱本体に対するロック部が設けられたことを特徴とする。
【００２８】
上記構成により、カバーが回動閉止されると同時にロック部で接続箱本体に係止される。カバーの回動時に回動基端寄りの覆い壁がガイド係合部に進入係合することで、カバーが接続箱本体に対して正確に位置決めされ、カバーのロック部と接続箱本体の被ロック部との係合が作業性良く確実に行われる。
【発明の効果】
【００２９】
請求項１記載の発明によれば、カバーの閉止と同時に覆い壁がガイド係合部内に進入係合し、覆い壁の開きが阻止されるから、例えば高圧洗浄水や強風が覆い壁の先端側（下側）に作用した場合でも、接続箱本体内への水や塵等の侵入が確実に防止され、接続箱本体内の電気的接続に悪影響（接触不良や短絡等）を及ぼすことがなくなり、電気的接続の信頼性が向上する。
【００３０】
請求項２記載の発明によれば、覆い壁と接続箱本体の側壁とが密着して覆い壁の開きが一層確実に防止されるから、防水・防塵性が向上し、請求項１記載の発明の効果が一層確実に発揮される。
【００３１】
請求項３記載の発明によれば、覆い壁の突出先端側からの高圧洗浄水や跳ね上げ水や強風等がガイド係合部に当たり、覆い壁内側へのこれらの侵入が確実に阻止されるから、防水・防塵性が向上し、請求項１記載の発明の効果が一層確実に発揮される。
【００３２】
請求項４記載の発明によれば、カバーの回動閉止に伴う覆い壁とガイド係合部との係合を傾斜部ないし湾曲部側からスムーズに行わせることができると共に、覆い壁の回動先端側からの高圧洗浄水等をガイド係合部の傾斜部ないし湾曲部で受けて、覆い壁内側への侵入を確実に防止することができる。また、ガイド係合部内に浸入した水を傾斜部ないし湾曲部に沿って流れ落とすことで、防水性が高まる。これらにより、請求項１記載の発明の効果が一層確実に発揮される。
【００３３】
請求項５記載の発明によれば、覆い壁がガイド係合部の押さえ壁で側壁に向けて押されて密着すると共に、底壁に沿って水滴が外部に流れ落ち、覆い壁内側への水等の侵入が確実に防止される。
【００３４】
請求項６記載の発明によれば、ガイド係合部で覆い壁の開きが防止され、覆い壁内側の開口内への水等の侵入が確実に防止される。覆い壁先端側からの水勢等はガイド係合部に当たって防御される。これらにより、開口内の端子やヒューズや回路等が確実に保護されて、電気接続箱の電気的接続の信頼性が高まる。
【００３５】
請求項７記載の発明によれば、ガイド係合部に沿って流れ落ちる水滴が開口内に浸入することなく確実に外部に排出されるから、防水性が高まる。
【００３６】
請求項８記載の発明によれば、カバーの回動時に覆い壁がガイド係合部に進入係合することで、カバーが接続箱本体に対して正確に位置決めされ、ロック動作が簡単且つ確実に行われ、カバーの閉止性が向上する。
【発明を実施するための最良の形態】
【００３７】
図１は、本発明に係る電気接続箱の一実施形態を示すものである。
【００３８】
この電気接続箱１は、合成樹脂製のメインカバー（接続箱本体）２とアッパカバー（カバー）３とロアカバー（図示せず）とを備え、メインカバー２の上部にヒュージブルリンクやヒューズといった電気部品（図示せず）を装着し、メインカバー２の内部に上部開口４からリレー（電気部品）等を装着すると共に、下部開口からバスバー組立体５や合成樹脂製のアンダカバー（コネクタブロック）６を装着して構成されるものである。
【００３９】
メインカバー２は前後左右の壁部７〜１０で囲まれて略矩形筒状に形成され、一側壁９側の上部に上壁１１を有し、上壁１１にヒュージブルリンク装着部１２とヒューズ装着部１３とを並列に有し、前端内側に例えば電源供給用のコネクタハウジング１４を有している。なお、前後左右の定義はあくまでも説明の便宜上のものであり、電気接続箱１の取付方向とは必ずも一致するものではない。
【００４０】
メインカバー２の側壁（壁部）９には中央に大きな開口１５が下側から切欠形成されると共に、メインカバー２の後端寄りで側壁９の上部に小さな矩形窓状の開口１６が設けられている。中央の大きな開口１５は、バスバー組立体５に後付けヒューズ（図示せず）を装着するためのものであり、後端上部の小さな開口１６は、バスバー組立体５に端子付き電線（図示せず）の板端子をボルトとナットで締付接続させるためのものである。端子付き電線はメインカバー２の内側を通って下側の切欠開口１７から外部へ導出される。
【００４１】
本実施形態はこの後端上部の小さな開口１６に水や塵等が侵入しないようにするためのものであり、開口１６に対応してアッパカバー３に鍔状の覆い壁１８を垂下形成し、覆い壁１８の下端縁に対応してメインカバー２の側壁９に縦断面Ｌ字状の比較的長いガイド係合部１９を突出して設けている。
【００４２】
覆い壁１８はアッパカバー３の側縁すなわち長辺側の垂直な短い一側壁２０と同一平面に延長形成され、側壁２０に続く前端側の略円弧状の湾曲部２１と、湾曲部２１に続く水平な下端部２２と、下端部２２から垂直に立ち上がった後端の垂直部２３とで周縁を構成している。覆い壁１８の外面には補強用のリブ２４が設けられ、リブ２４の下端２４ａは覆い壁１８の下端２２よりも少し上に位置し、カバー閉止時にメインカバー２のガイド係合部１９に干渉しないようになっている。
【００４３】
アッパカバー３の側壁２０は前後及び他側の壁部（周壁）２５に同一高さで続き、各壁部２０，２５の内面側には段部（図示せず）が形成され、段部がメインカバー２の上端縁の段部２６に係合して上部開口４を覆うようになっている。側壁２０は垂直な覆い壁１８に同一面で一体に続いている。
【００４４】
ガイド係合部１９の最上部１９ａはメインカバー２の上端縁の段部２６とほぼ同じ高さに位置し、アッパカバー３の側壁２０をガイド係合部１９の最上部１９ａ内に係合可能となっている。ガイド係合部１９は、メインカバー２の側壁９から直角に水平方向に突出した底壁（支持壁）２７と、底壁２７から垂直に立ち上げられ押さえ壁２８とで縦断面略Ｌ字状に形成されている。
【００４５】
ガイド係合部１９の最上部１９ａは後下がりに傾斜しつつ円弧状に湾曲した部分１９ｂに続き、湾曲部１９ｂは下側の短い水平な部分１９ｃに続いている。平行な押さえ壁２８とメインカバー２の側壁９との間に、覆い壁１８に対するガイド溝２９が構成されている。湾曲部１９ｂに覆い壁１８の湾曲部２１が進入係合し、水平部（最下部）１９ｃに覆い壁１８の下端部２２が進入係合する。
【００４６】
図２に示す如く、覆い壁１８はアッパカバー３の一側方のみに一つ平板状に垂下形成され、覆い壁外面のリブ２４の上端２４ｂは側壁２０よりも高く延長されて覆い壁１８の反り等が防止されている。図１，図２の如く、アッパカバー３の覆い壁側の後端部には一対の係止枠部３０が垂下形成され、係止枠部３０とは反対側のアッパカバー３の前端部には可撓性の係止アーム（ロック部）３１とその左右両側の保護リブ３２とが設けられている。係止アーム３１は下端に外向きの爪部３１ａを有している。
【００４７】
図３に示す如く、ガイド係合部１９の下側の水平部１９ｃはメインカバー２の開口１６の幅方向中間位置で終端し、水平部１９ｃの底壁２７ａは開口１６よりも少し下側に位置している。水平部１９ｃの終端１９ｄはメインカバー２の側壁９の垂直な段部３２に続いている。ガイド係合部１９の下側で側壁９は少し凹状に窪んで段部３２を構成している。
【００４８】
ガイド係合部１９の水平部１９ｃは開口１６の幅の半分の長さで覆い壁１８の十分な開き防止性（封止性）を発揮する。ガイド係合部１９の傾斜状の底壁２７に沿って水滴が流れ落ち、垂直な段部３２に沿って真下に誘導される。水平部１９ｃの底壁２７ａは開口１６よりも下側にあるから、開口１６内に水が逆流する心配がない。底壁２７に水滴落下用の孔を設けることも可能である（但し下側からの水勢に対する浸入防止性は弱まる）。
【００４９】
図１，図３の如く、メインカバー２の開口１６寄りの壁部（後壁）８の上部には、アッパカバー３の係止枠部３０に対する一対の係合突起３３が設けられ、反対側の前壁７（図１）の上部には、アッパカバー３の係止アーム３１に対する係合凹部（被ロック部）３４が設けられている。係合突起３３は水平にやや長めに突出され、係合凹部３４は枠状部３５の内面側に形成されている。
【００５０】
図１において、メインカバー２の内部は中間の長手方向の垂直な隔壁（図示せず）で左右に区画され、一側方の空間の上部にヒュージブルリンク装着部１２やヒューズ装着部１３が位置し、一側方の空間に下部開口３６からバスバー組立体５やアンダカバー６が挿入（装着）される。一側方の空間の中央に、バスバー組立体５の中央隙間３７に挿通されるガイド壁３８が垂下形成され、ガイド壁３８にナット３９が固定されて、ナット３９に後付けヒューズ（図示せず）がボルトで締付固定される。
【００５１】
バスバー組立体５は一方の電源供給バスバー４０と他方の絶縁配列バスバー４１とで構成され、一方のバスバー４０は板状に一体に形成され、中央のスリット４２内に細幅のヒューズ部４３を有し、ヒューズ部４３を境に前半部の上側にタブ端子４４、後半部に挟持端子４５と板状の接続部４６を有している。バスバー４０の中央の孔部に例えばバッテリからの外部接続用の端子付き電線をねじ締め接続してもよい。
【００５２】
前端のタブ端子４８はメインカバー２のコネクタハウジング１４内に挿入されて例えばバッテリからの電源入力用のコネクタを構成し、中間のタブ端子４４はヒュージブルリンク装着部１２に挿入され、挟持端子４５はヒューズ装着部１３に挿入され、後端の板状の接続部４６は開口１６内に配置されて、孔部４７にボルトを通して端子付き電線（図示せず）の板端子がナットで締付接続される。
【００５３】
他方のバスバー４１は複数本の並列なバスバー本体を絶縁樹脂５３で覆ったものであり、上側にヒュージブルリンク接続用のタブ端子４９とヒューズ接続用の挟持端子５０とを前側のバスバー４０のそれらと対向して有し、下側に複数のタブ端子５１を並列に有している。下側のタブ端子５１はアンダカバー（コネクタブロック）６の各コネクタハウジング５２内に挿入されてコネクタを構成する。左右のバスバー４０，４１は絶縁樹脂部のボス５４で連結されている。
【００５４】
アンダカバー６の各コネクタ５２には下側からワイヤハーネス（図示せず）のコネクタが接続され、ワイヤハーネスはロアカバー（図示せず）の内側に収容されてロアカバーの開口から外部（車両の電装品や補機といった負荷側）に導出される。メインカバー２の中央の開口１５にはロアカバーの上向きの覆い壁（図示せず）がスライド式に被着される。
【００５５】
図４〜図６は、メインカバー（接続箱本体）２にアッパカバー（カバー）３を閉止させる状態を順に示すものである。
【００５６】
図４の如くアッパカバー３は後端側（覆い壁１８寄り）の係止枠部３０をメインカバー２の係合突起３３に係合させた状態で係合突起３３を支点（ヒンジ）として回動自在である。アッパカバー３は回動先端側が大きなヒュージブルリンク収容空間を存して背高となっている。図４の如くアッパカバー３を大きく開けた状態で、覆い壁１８はガイド係合部１９の上側に対向して位置する。メインカバー２の開口１６の上部は覆い壁１８の下側角部で少し覆われている。
【００５７】
図５の如く、アッパカバー３を閉める途中において覆い壁１８のヒンジ側半部が開口１６を塞ぐと共に、覆い壁１８のヒンジ反対側の下端部がガイド係合部１９内に進入しつつガイド係合部１９の押さえ壁２８とメインカバー２の側壁９との間すなわちガイド溝２９内をカバー回動方向にスライド自在に移動する。
【００５８】
図６の如く、アッパカバー３を完全に閉止すると同時に、アッパカバー３の回動先端側の係止アーム３１がメインカバー２の枠壁３５内の係合凹部３４に係合して、アッパカバー３がロックされつつ、回動基端寄りの覆い壁１８が完全に開口１６を塞ぎ、覆い壁１８の下端部のヒンジ反対側半部と湾曲部２１（図４）とがガイド係合部１９内に係合し、且つ覆い壁１８に続くカバー側壁２０の一部がガイド係合部１９の最上部１９ａ内に係合する。
【００５９】
覆い壁１８の外面は自由状態においてガイド係合部１９の押さえ壁２８の内面に接し、覆い壁１８が押さえ壁２８とメインカバー２の側壁９との間で挟み込まれる形となって、又は挟み込まれないまでも覆い壁１８の外面が押さえ壁２８の内面に近接して位置し、これらにより覆い壁１８の板厚方向外側への開き（変形）が阻止される。
【００６０】
特に、下側や前後方向から強い勢いで水等（高圧洗浄水やスチーム洗浄水等）がかかった場合に、覆い壁１８の外面がガイド係合部１９の押さえ壁２８の内面に当接して、覆い壁１８の板厚方向外側への開きが確実に防止される。下側やヒンジ反対側の斜め前方下側からの強い水勢はガイド係合部１９の底壁２７にぶつかって跳ね返され、覆い壁１８の内側への水の浸入が確実に防止される。
【００６１】
また、覆い壁１８がガイド係合部１９内に進入することで、アッパカバー３自体がメインカバー２に対して正確に位置決めされ、回動先端側の係止アーム３１の爪部３１ａ（図５）と枠壁３５内の係合凹部３４（図１）との係合が位置ずれなく正確に行われ、アッパカバー３の閉止作業性が高まる。
【００６２】
なお、ガイド係合部１９の下側の水平部１９ｃを後方に延長して覆い壁１８の下部全体を進入係合させるようにすることも可能である。延長した水平部（図示せず）をさらに上向きに延長して、覆い壁１８の回動時に干渉しない程度の長さの垂直部（図示せず）を後端側に設けることも可能である。本例においては図１，図６の如く覆い壁１８の後半の露出した下端側部分は、メインカバー下部の湾曲状の鍔壁５５が下側からの水勢を受け止めることで間接的に保護される。
【００６３】
上記実施形態においては、メインカバー２の側壁上部の開口１６をアッパカバー３の覆い壁１８で覆う構造にガイド係合部１９を適用したが、ガイド係合部１９は必ずしも開口１６を有するものに限らず、開口１６がない場合においても、アッパカバーの長辺側の側壁の開きを覆い壁１８とガイド係合部１９との係合によって阻止することが可能である。この場合、ガイド係合部の形状は図１の形態に限らず、水平部を真直に長く形成したもの等を使用可能である。ガイド係合部の縦断面（上下断面）図１の例と同様には略Ｌ字状で内側に水平方向のガイド溝を有することが好ましい。
【００６４】
また、図１の実施形態においては、アッパカバー３の係止枠部３０をメインカバー２の係合突起３３に係合させてヒンジ部を構成したが、アッパカバー３の後壁を可撓性のヒンジ部（図示せず）を介してメインカバー２の後壁８に回動自在に連結させることも可能である。
【００６５】
また、覆い壁１８の回動先端に向かう湾曲部２１を真直な傾斜部（図示せず）とすることも可能であり、その場合、ガイド係合部１９の湾曲部１９ｂも真直な傾斜部として形成されることが好ましい。
【図面の簡単な説明】
【００６６】
【図１】本発明に係る電気接続箱の一実施形態を示す分解斜視図である。
【図２】電気接続箱のアッパカバーを示す側面図である。
【図３】電気接続箱のメインカバー（接続箱本体）の要部を示す正面図である。
【図４】電気接続箱のアッパカバーを開いた状態の正面図である。
【図５】同じくアッパカバーを閉める途中の状態を示す正面図である。
【図６】同じくアッパカバーを完全に閉めた状態を示す正面図である。
【図７】従来の電気接続箱の一形態を示す斜視図である。
【図８】従来の電気接続箱の他の形態を示す分解斜視図である。
【符号の説明】
【００６７】
１            電気接続箱
２            メインカバー（接続箱本体）
３            アッパカバー（カバー）
９，２０      側壁
１６          開口
１８          覆い壁
１９          ガイド係合部
１９ｂ，２１  湾曲部
１９ｃ        水平部（最下部）
２７          底壁
２８          押さえ壁
３１          係止アーム（ロック部）
【図１】
2005204356.tif 000003
【図２】
2005204356.tif 000004
【図３】
2005204356.tif 000005
【図４】
2005204356.tif 000006
【図５】
2005204356.tif 000007
【図６】
2005204356.tif 000008
【図７】
2005204356.tif 000009
【図８】
2005204356.tif 000010